(57)【要約】　　　（修正有）【課題】複数種類の電源コードを固定できる電源コード取付構造を提供する。【解決手段】機器に形成したコード取付部１５にコードストッパ１４を装着し、電源コードを挟んで保持する。コードストッパ１４は、支柱１６の三つの側面に異なる大きさのリブ１７ａ、１７ｂ、１７ｃを形成して構成する。支柱１６の向きを変えることにより、電源コード１３の種類に応じて利用するリブ１７ａ、１７ｂ、１７ｃを選択する。電源コード１３がく字形に曲がって、コード取付部１５の凹部２２に押し込まれて固定される。【選択図】　図４
2004047845.tif 000002
【特許請求の範囲】
【請求項１】
雄体と雌体とによって電源コードを挟んで保持する電源コード取付構造であって、前記雄体及び雌体のうち一方は、複数種類の電源コードに対応可能な形態とされ、他方は、電源コードの種類に関係なく固有の形態とされたことを特徴とする電源コード取付構造。
【請求項２】
前記雄体と雌体との間に、電源コード挿入用の隙間が形成され、該隙間は、雄体あるいは雌体の一方の形態によって電源コードの種類に応じた間隔に設定されることを特徴とする請求項１記載の電源コード取付構造。
【請求項３】
雄体と雌体とによって電源コードを挟んで保持する電源コード取付構造であって、前記雄体にリブが形成され、前記雌体に雄体のリブに対向して電源コードを挟持する凹部が形成され、前記リブ及び凹部のいずれかが電源コードの種類に応じた形状とされたことを特徴とする電源コード取付構造。
【請求項４】
前記リブの幅及び長さが電源コードの種類に応じた大きさに設定され、リブと凹部とによって形成される隙間の間隔が、電源コードの種類に応じて異なることを特徴とする請求項３記載の電源コード取付構造。
【請求項５】
電源コードを有する機器に前記雌体が設けられ、前記雄体が機器に着脱可能に装着されることを特徴とする請求項３又は４記載の電源コード取付構造。
【請求項６】
前記雄体は、多角形の支柱の少なくとも二つ以上の側面に前記リブが形成されてなり、機器に、雄体を挿入する挿入孔が形成されたことを特徴とする請求項５記載の電源コード取付構造。
【請求項７】
前記支柱に、隙間から電源コードの抜け出しを防止する端板が形成されたことを特徴とする請求項６記載の電源コード取付構造。
【請求項８】
機器に、前記雄体を雌体と対向する状態に位置決めする位置決め体が設けられ、前記雄体は、電源コードを挟み込んだとき前記位置決め体に保持されることを特徴とする請求項５、６又は７記載の電源コード取付構造。
【請求項９】
前記雄体に、機器に装着するときに電源コードを凹部に案内するガイドが形成されたことを特徴とする請求項５〜８のいずれかに記載の電源コード取付構造。
【請求項１０】
洗濯機の電源コードを保持することを特徴とする請求項１〜９のいずれかに記載の電源コード取付構造。
【発明の詳細な説明】
【０００１】
【発明の属する技術分野】
本発明は、例えば洗濯機の機器本体に電源コードを取り付けるための電源コード取付構造に関するものである。
【０００２】
【従来の技術】
一般に、洗濯機等の電気機器は、機器本体に電源コードの端部から離れた部分を取り付ける電源コード取付構造を備えている。電源コード取付構造は、電源コードに所定の引張力を加えたときの移動を小さくして、電源コードに加わる引張力やねじり力が機器の内部配線との接続部に伝達することを防止する。具体的な構造としては、機器本体の電源コード貫通穴にコードストッパを嵌め込む構造や、電源コードを差し込んだ機器本体のコード取付部にコードストッパを嵌め込む構造を用いている。
【０００３】
ところで、国や地域によっては二芯用以外に三芯用の電源コードを使用することがあり、使用する電源コードの種類に応じて、コードストッパや電源コード貫通穴、コード取付部の形状を変更する必要がある。そのため、複数種類のコードストッパを用意すると共に、複数個の電源コード貫通穴を形成したり、コード取付部を形成するときに金型を差替え構造にしてその形状を変更したりしている。
【０００４】
また、その他の手法として、図７に２槽式洗濯機の電源コード取付構造１０１の一例を示す。この電源コード取付構造１０１は、洗濯機の底台１０２に設けたコード取付部１０３と、コードストッパ１０４とで電源コード１０５を挟んで保持するものである。
【０００５】
コード取付部１０３には、二種類の保持部１０６を設け、二種類のコードストッパ１０４を一体に成形した部材を嵌め込むことにより、二種類の電源コード１０５を取付可能にしている。なお、コードストッパ１０４は、各種類ごとに別部品にすることがある。三種類の電源コード１０５を取付可能にする場合、三種類の保持部１０６を設ける。
【０００６】
【発明が解決しようとする課題】
ところが、電源コードの種類に応じて、複数種類のコードストッパを用意すると共に、複数個の電源コード貫通穴を形成したり、金型を差替え構造にしてコード取付部の形状を変更したりする手法では、その分生産性が悪くなる。また、図７の電源コード取付構造は、二種類の保持部のうちの一方しか使用しないので他方の保持部が無駄になり、余分なスペースを必要とし、見栄えも悪くなる。
【０００７】
本発明は、部品の共有化を図って生産性を向上させると共に、省スペース化及び外観性の向上が図れる電源コード取付構造を提供することを目的としている。
【０００８】
【課題を解決するための手段】
上記目的を達成するため、本発明は、雄体と雌体とによって電源コードを挟んで保持する構造を前提として、雄体及び雌体のうち一方を複数種類の電源コードに対応可能な形態として、他方を電源コードの種類に関係なく固有の形態とするものである。この構成によれば、電源コードの種類に関わらず、一種類の部品で複数種類の電源コードに対応でき、部品の共有化を図ることができる。ここで、複数種類の電源コードに対応可能な形態は、電源コードに応じて雄体又は雌体の挟む部分の形状を変更可能にするものや、電源コードに応じて雄体又は雌体の挟む部分の硬さを変更可能にするもの、電源コードに応じて雄体又は雌体の変形量を変更可能にするものである。
【０００９】
雄体と雌体との間に、電源コード挿入用の隙間を形成し、この隙間を電源コードの種類に応じた間隔に設定する。具体的には、雄体にリブを形成して、雌体に雄体のリブに対向して電源コードを挟持する凹部を形成し、リブを凹部に押し込んで電源コードを変形させて固定する。このとき、リブ及び凹部のいずれか、あるいは両方を電源コードの種類に応じた形状として、複数種類の電源コードに対応可能にする。
【００１０】
多角形の支柱の少なくとも二つ以上の側面にリブを形成して雄体を構成し、各リブをそれぞれ異なる種類の電源コードに応じた形状にする。そうすれば、電源コードの種類に応じて、利用するリブを選択するときの間違いを減らすことができる。リブと凹部でコードを挟んだとき、支柱に端板を形成すれば、電源コードの他方向への抜け出しを防止することができる。電源コードを有する機器に雌体を設け、雄体を機器に着脱可能に装着する。あるいは、機器に雌体を着脱可能にしてもよい。
【００１１】
雌体と対向する状態に雄体を位置決めする位置決め体を機器に設ければ、電源コードを挟み込んだとき、位置決め体で雄体を保持することができる。雄体を機器に装着するとき、雄体に形成したガイドで電源コードを凹部に押し込むように案内すればよい。本発明の電源コード取付構造を設ける機器としては、水のある環境で使用する機器、特に洗濯機が好適である。
【００１２】
【発明の実施の形態】
以下、本発明に係る電源コード取付構造の実施の形態について、図面を用いて説明する。図１は、本発明の電源コード取付構造を備えた洗濯機の外観斜視図である。この洗濯機は、外装１の内部に内槽２が収納されてなり、外装１の最上部に内槽２が支持され、外装１の下部に底台３がその外周の下側から４〜８本のネジで固定されている。
【００１３】
内槽２は、洗濯槽及び脱水槽からなり、その上方の全周が上面板４で覆われ、この上面板４に、洗濯槽を開閉自在に覆う大上蓋５と、脱水槽を開閉自在に覆う小上蓋６とが設けられている。上面板４の後部上面には、操作パネル７が配され、洗濯時間を設定する洗濯ツマミ８、水流の強弱及び排水を設定する水流ツマミ９、ブザー音量を調整するブザーツマミ１０、脱水時間を設定する脱水ツマミ１１が設けられている。
【００１４】
図２に示すように、電源コード１３は、一端側を図示しない内部配線に接続されて、他端側を底台３から外部に延ばされている。底台３には、電源コード取付構造が設けられ、内部配線との接続部から底台３からの引出部までの間で、電源コード１３を固定し、内部配線との接続部に、電源コード１３に加わる引張力やねじり力が伝達されることを防止する。電源コード取付構造は、雄体としての着脱可能なコードストッパ１４と、底台３に形成された雌体としてのコード取付部１５とからなる。コードストッパ１４及びコード取付部１５は、２芯の電源コード１３ａ、太い方の３芯の電源コード１３ｂ及び細い方の３芯の電源コード１３ｃの三種類の電源コード１３のいずれかを挟んで保持する。
【００１５】
図３及び図４に示すように、コードストッパ１４は、断面正方形の支柱１６の三つの側面にリブ１７ａ、１７ｂ、１７ｃが形成され、支柱１６の上端に正方形の端板１８が形成されてなる。リブ１７ａ、１７ｂ、１７ｃは、その支柱１６の反対側の側面から計った突出長さ（ｋ）及び突出方向先端の幅（ｊ）が各リブ１７ａ、１７ｂ、１７ｃごとに異なる大きさに設定される。
【００１６】
リブ１７ａ、１７ｂ、１７ｃの下部に、テーパ１９が形成されている。このテーパ１９は、コード取付部１５にコードストッパ１４を装着するとき電源コード１３を後述する凹部２２に案内するガイドとされる。コードストッパ１４は、例えばポリプロピレン等のプラスチックにより底台３と共取りして成形され、コードストッパ１４単品の金型が不要である。
【００１７】
コード取付部１５は、底台３に形成されたコードストッパ１４を挿入する挿入穴２０と、電源コード１３を配置する溝２１と、溝２１を挟んで挿入穴２０に対向する凹部２２とからなる。挿入穴２０は、コードストッパ１４の支柱１６を挿入する支柱穴２０ａと、支柱穴２０ａの凹部２２に対向する内側面を除く三つの内側面から外方に凹設されたリブ穴２０ｂ、２０ｃ、２０ｄとからなる。挿入穴２０の周囲は、端板１８を嵌める段差部とされ、この段差部に、端板１８の下面に延設されたリブ１７を載置して、コードストッパ１４を支持する。
【００１８】
挿入穴２０は、コードストッパ１４を挿入したとき、底とコードストッパ１４の先端との間にわずかな隙間ができる深さとされる。支柱穴２０ａの凹部２２に対向する内側面は、溝２１の挿入穴２０側の側端と位置を合わせて配置される。支柱穴２０ａの凹部２２に対向する面と反対側の内側面は、支柱１６に当接する位置決め体２０ｅとされ、コードストッパ１４を装着したとき電源コード１３からの反作用に抵抗する。リブ穴２０ｂは、二番目に大きいリブ１７ｃが入る大きさよりもわずかに大きくされ、リブ穴２０ｃ、２０ｄは、一番大きいリブ１７ａが入る大きさよりもわずかに大きくされる。
【００１９】
図５（ｂ）に示すように、溝２１は、三種類の電源コード１３のうちの最も太いものを配置できる幅に設定され、コードストッパ１４を装着したとき、溝２１の底がテーパ１９よりも上方に位置する深さに設定される。図４に示すように、凹部２２は、溝２１の側端から凹設され、その幅（ｉ）は、各リブ１７ａ、１７ｂ、１７ｃの先端の幅（ｊ）のうちの最大のものよりも大きくされる。
【００２０】
次に、コードストッパ１４をコード取付部１５に装着して、電源コード１３を取り付けるときの様子を説明する。まず、図５に示すように、溝２１に電源コード１３を配置する。図５（ａ）は２芯の電源コード１３ａを取り付ける場合、図５（ｂ）は太い方の３芯の電源コード１３ｂを取り付ける場合である。図に示すように、溝２１の幅は、３芯の電源コード１３ｂを配置できる大きさである。
【００２１】
図６に示すように、挿入穴２０に上方からコードストッパ１４を挿入する。このとき、電源コード１３の種類に応じて、コードストッパ１４の支柱１６周りの向きを変えて、リブ１７ａ、１７ｂ、１７ｃの中から一つを選択する。具体的には、２芯の電源コード１３ａのときは、その長さ（ｋ）及び先端の幅（ｊ）が最も大きいリブ１７ａを選択し、３芯の電源コード１３ｂのときは、その長さ（ｋ）及び先端の幅（ｊ）が最も小さいリブ１７ｂを選択する。
【００２２】
コードストッパ１４を差し込むにつれて、電源コード１３は、テーパ１９により曲げられながら凹部２２に寄せられるように案内され、リブ１７ａ、１７ｂ、１７ｃ及び凹部２２間に挟持される。図３及び図４に示すように、電源コード１３は、リブ１７ａ、１７ｂ、１７ｃの先端と、凹部２２の開口の角とに当たり、く字形に曲がって電源コード１３の方向及びねじれ方向に動かないように固定される。
【００２３】
リブ１７ａ、１７ｂ、１７ｃの先端の角と凹部２２の開口の角との隙間は、電源コード１３が通る大きさに設定される。つまり、その隙間は、２芯の電源コード１３ａを保持するときに小さくされ、太い方の３芯の電源コード１３ｂを保持するときに大きくされ、細い方の電源コード１３ｃを保持するときにその中間の大きさに設定される。
【００２４】
なお、装着時にリブ穴２０ｂ、２０ｃ、２０ｄと凹部２２の一部とを覆う大きさの端板１８により、電源コード１３の上方向への抜け出しが規制される。図３及び図４において、（ａ）は２芯の電源コード１３ａ、（ｂ）は太い方の３芯の電源コード１３ｂ、（ｃ）は細い方の３芯の電源コード１３ｃを取り付けたものである。
【００２５】
上記構成によれば、大きさが異なるリブ１７ａ、１７ｂ、１７ｃのうちの一つを選択するため、２芯の電源コード１３ａ、太い方の３芯の電源コード１３ｂ及び細い方の３芯の電源コード１３ｃの三種類の電源コード１３のうちの任意のものを固定することができる。また、底台３に形成されたコード取付部１５の凹部２２は、その幅（ｉ）等を電源コード１３の種類によらず一定の大きさにすることができる。位置決め体２０ｅが位置決めするため、支持体２０ｅを基準にしてリブ１７ａ、１７ｂ、１７ｃの長さ（ｋ）を設定することにより、電源コード１３の種類に応じてリブ１７ａ、１７ｂ、１７ｃの長さ（ｋ）を変えるだけで対応できるので、電源コード取付構造の設計が容易になる。
【００２６】
なお、本発明は、上記の実施の形態に限定されるものではなく、本発明の範囲内において適宜変更を加えることができる。例えば、この電源コード取付構造は、洗濯機以外の電気機器に設けてもよい。位置決め体２０ｅは支柱穴２０ａの内側面を利用する代わりに、位置決め用のリブを設けてもよい。また、コードストッパ１４を雌体として、底台３に形成した雄体としてのコード取付部１５に装着してもよい。
【００２７】
電源コード１３の種類は、その太さだけでなく硬さが異なるものであってもよい。この場合、保持する電源コード１３が軟らかいものほど凹部２２のより奥に押し込むようにリブ１７を長くし、硬いものほどリブ１７を短くする。電源コード１３の上方への抜け出しは、支柱１６の端板１８の代わりに凹部２２の上方を覆う覆い板により規制してもよい。リブ１７の数は三種類に限らずいくつであってもよく、支柱１６の形状は、正方形の代わりに他の多角形や円形であってもよい。
【００２８】
弾性体からなる一種類のリブ１７を設け、その弾性変形を利用して押し込む量を異ならせ、複数種類の電源コード１３に対応させてもよい。リブ１７は長めに設定しておき、電源コード１３からの反作用により弾性変形させる。細い電源コード１３や軟らかい電源コード１３は、弱い力で曲がるのでリブ１７の弾性変形量も小さく、凹部２２に大きく押し込まれる。太い電源コード１３や硬い電源コード１３は、曲げるのに大きな力を要するのでリブ１７の弾性変形量も大きくなり、凹部２２に少しだけ押し込まれる。
【００２９】
複数のリブ１７の形状を共通にして、各リブの硬さを異ならせ、電源コード１３の種類に応じてリブ１７の変形量が異なるようにしてもよい。この場合、細い電源コード１３や軟らかい電源コード１３ほどリブ１７を硬くし、リブ１７の変形量を小さくして凹部２２に大きく押し込む。太い電源コード１３や硬い電源コード１３ほどリブ１７を軟らかくし、リブ１７の変形量を大きくして凹部２２に少しだけ押し込む。
【００３０】
コードストッパ１４に凹部２２を形成してコード取付部１５にリブ１７を形成し、電源コード１３の種類に応じて凹部２２を複数種類の大きさにしてもよい。また、リブ１７及び凹部２２の両方を複数種類にして、その組み合わせにより、さらに多くの種類の電源コード１３に対応可能にしてもよい。コードストッパ１４を複数種類用意して、各コードストッパ１４にそれぞれ異なる大きさのリブ１７を形成し、電源コード１３の種類に応じて選択してもよい。
【００３１】
【発明の効果】
以上の説明から明らかなように、本発明では、雄体と雌体とで電源コードを挟み、そのうちの一方を電源コードの種類に応じて使い分けることにより、機器側の部品の共有化を図ることができる。さらに、支柱に大きさが異なる複数のリブを形成して、装着時に支柱の向きを変えて利用するリブを選択することにより、雄体及び雌体の両方の部品をそれぞれ共通化することができる。その結果、生産性を向上させることができる。
【００３２】
また、機器側に一つの部品を形成するだけでよいため、無駄な部品が配置される余分なスペースを不要にして省スペース化を図り、見栄えをよくして外観性の向上を図ることができる。
【図面の簡単な説明】
【図１】本発明の電源コード取付構造を備えた洗濯機の外観斜視図
【図２】底台の平面図
【図３】電源コード取付構造の平面図で、（ａ）は２芯の電源コードを取り付けた図、（ｂ）は太い方の３芯の電源コードを取り付けた図、（ｃ）は細い方の３芯の電源コードを取り付けた図
【図４】電源コード取付構造の断面図で、（ａ）は２芯の電源コードを取り付けた図、（ｂ）は太い方の３芯の電源コードを取り付けた図、（ｃ）は細い方の３芯の電源コードを取り付けた図
【図５】電源コード取付構造のコードストッパ装着前の縦断面図で、（ａ）は２芯の電源コードを配置した図、（ｂ）は太い方の３芯の電源コードを配置した図
【図６】電源コード取付構造のコードストッパ装着後の縦断面図で、（ａ）は２芯の電源コードを取り付けた図、（ｂ）は太い方の３芯の電源コードを取り付けた図
【図７】従来の電源コード取付構造を備えた洗濯機の底台の平面図
【符号の説明】
１３　　電源コード
１４　　コードストッパ
１５　　コード取付部
１６　　支柱
１７ａ、１７ｂ、１７ｃ
リブ
１８　　端板
１９　　テーパ
２０ｅ　位置決め体
２２　　凹部
【図１】
2004047845.tif 000003
【図２】
2004047845.tif 000004
【図３】
2004047845.tif 000005
【図４】
2004047845.tif 000006
【図５】
2004047845.tif 000007
【図６】
2004047845.tif 000008
【図７】
2004047845.tif 000009